(57)【要約】【課題】クリーンルームの稼働を停止しなくても、室内空間の高清浄度を維持した状態で天井メンテナンスを実施できるようにする。【解決手段】クリーンルームＲの天井裏でのメンテナンス作業時に、所定の作業空間を天井裏空間内の一部に隔離状態に形成自在な気密袋体１０を設け、気密袋体１０をその開口部１１を下方に向けた状態で天井支持フレームＦ上に固定自在な固定手段Ｋを設け、気密袋体１０の開口部１１は、少なくと天井支持フレームＦの最小開口単位以上の寸法に設定してある。【選択図】        図３
2004278214.tif 000002
【特許請求の範囲】
【請求項１】
クリーンルームの天井裏でのメンテナンス作業時に、所定の作業空間を天井裏空間内の一部に隔離状態に形成自在な気密袋体を設け、前記気密袋体をその開口部を下方に向けた状態で天井支持フレーム上に固定自在な固定手段を設け、前記気密袋体の開口部は、少なくと前記天井支持フレームの最小開口単位以上の寸法に設定してある天井メンテナンス補助具。
【請求項２】
前記気密袋体は、透明部を備えて構成してある請求項１に記載の天井メンテナンス補助具。
【請求項３】
前記気密袋体は、開閉切替操作自在な出入り口を設けてある請求項１又は２に記載の天井メンテナンス補助具。
【請求項４】
前記気密袋体の開口部縁部に沿って、保形性を有する補強部材を一体的に設けてある請求項１〜３の何れか一項に記載の天井メンテナンス補助具。
【請求項５】
前記天井支持フレームの吊り支持体に対して前記気密袋体の外側部分を係止自在な係止部を、前記気密袋体の外周面に設けてある請求項１〜４の何れか一項に記載の天井メンテナンス補助具。
【発明の詳細な説明】
【０００１】
【発明の属する技術分野】
本発明は、クリーンルームの天井裏で、例えば、天井に設置されている照明器具やファンフィルタユニット等の設置機器や、天井パネル等を対象に、点検や部品交換や取り替え等のメンテナンス作業を実施する際に、その助けとなる天井メンテナンス補助具に関する。
【０００２】
【従来の技術】
従来、クリーンルームにおいては、室内の高清浄度を維持するために、できるだけ室内側へ塵等が侵入し難いように、室外空間より室内空間の気圧が高めになるように設定されていることが多い。このような設定は、天井で区切られた天井裏空間と室内空間との間にも実施されている。
従って、上述のような両空間に差圧が生じている状態で、例えば、天井裏の点検の為に部分的に天井パネルや、前記設置機器を取り外すと、その取り外した部分が双方の空間を連通させる開口部となり、室内空間から天井裏空間への急激な空気の流れが生じる。それに伴って、天井パネルや設置機器等に付着した塵等が室内空間側へ侵入する危険性があり、上述のような天井メンテナンス作業の際には、ファンフィルタユニット等の運転を停止させ、差圧が生じない状態にせざるを得なかった。
従来は、このような天井メンテナンス作業の助けとなる補助具は無かった。
よって、従来技術に関しては、類似するものは無く、先行技術文献は示していない。
【０００３】
【発明が解決しようとする課題】
上述した従来のクリーンルーム天井メンテナンスにおいては、メンテナンス作業を実施するに当たって、天井裏空間と室内空間との差圧をつけないようにしなければならなかったから、室内空間の高清浄度の維持が困難となり、クリーンルーム自体の稼動をも停止する必要があり、生産性の低下に繋がる危険性があった。
【０００４】
従って、本発明の目的は、上記問題点を解消し、クリーンルームの稼働を停止しなくても、室内空間の高清浄度を維持した状態で天井メンテナンスを実施できるよう、天井メンテナンス補助具を提供するところにある。
【０００５】
【課題を解決するための手段】
請求項１の発明の特徴構成は、クリーンルームの天井裏でのメンテナンス作業時に、所定の作業空間を天井裏空間内の一部に隔離状態に形成自在な気密袋体を設け、前記気密袋体をその開口部を下方に向けた状態で天井支持フレーム上に固定自在な固定手段を設け、前記気密袋体の開口部は、少なくと前記天井支持フレームの最小開口単位以上の寸法に設定してあるところにある。
【０００６】
請求項１の発明の特徴構成によれば、前記気密袋体をその開口部が下方に向く状態にして天井支持フレーム上に固定することができる。そして、天井支持フレームの最小開口単位を前記気密袋体の開口部が覆う状態に設置することが可能となるから、そのように設置された気密袋体内の空間は、天井支持フレームの最小開口単位の上方で、他の天井裏空間内とは隔離されたものとなり、例えば、前記最小開口単位に設置されている天井パネルや設置機器を気密袋体内で持ち上げて、その部分で天井を開口させたとしても、前記室内空間側の正圧は、気密袋体内に作用するだけで止まる。
従って、気密袋体を設置した部分においては、天井を開口させても、従来のような室内空間から天井裏空間への大量で急激な空気の流れが生じることを回避できるから、従来のように天井周囲の塵等が室内空間に侵入したり飛散したりすることを防止でき、そのまま、気密袋体の内空部を作業空間として使用しながら、天井メンテナンス作業を進めることが可能となる。
その結果、天井メンテナンスの実施中も、天井裏空間と室内空間との差圧を維持して、室内空間の高清浄度を保てるから、クリーンルーム内での稼動も継続することが可能となる。
即ち、クリーンルームの稼働を停止しなくても、室内空間の高清浄度を維持した状態で天井メンテナンスを実施できるようになる。
【０００７】
請求項２の発明の特徴構成は、前記気密袋体は、透明部を備えて構成してあるところにある。
【０００８】
請求項２の発明の特徴構成によれば、請求項１の発明による作用効果を叶えることができるのに加えて、透明部を介して気密袋体内外に光を透過させることが可能となる。従って、例えば、気密袋体内での作業時に、気密袋体内に専用の照明を設置しなくても、天井裏照明の光を透明部から取り入れることが可能となる。従って、余分な照明器具を設ける必要が無く、コストの削減効果がある。
また、外部から、気密袋体内での作業を見通すことも可能となり、作業管理を実施し易くなる。
この透明部は、気密袋体の一部に形成してあったり、気密袋体を透明材料で形成して全体が透明部となるように構成するものであってもよい。
【０００９】
請求項３の発明の特徴構成は、前記気密袋体は、開閉切替操作自在な出入り口を設けてあるところにある。
【００１０】
請求項３の発明の特徴構成によれば、請求項１又は２の発明による作用効果を叶えることができるのに加えて、気密袋体を設置した後から、気密袋体への出入りを、この出入り口を利用して簡単に実施できるから、天井メンテナンス作業をより効率よく実施することが可能となる。
【００１１】
請求項４の発明の特徴構成は、前記気密袋体の開口部縁部に沿って、保形性を有する補強部材を一体的に設けてあるところにある。
【００１２】
請求項４の発明の特徴構成によれば、請求項１〜３の何れかの発明による作用効果を叶えることができるのに加えて、気密袋体の開口部縁部を補強部材によって補強することができと共に、開口部縁部の形状安定性を向上させることができる。従って、袋体の設置部分が型くずれして密閉性が悪くなるのを防止し易くなる。
【００１３】
請求項５の発明の特徴構成は、前記天井支持フレームの吊り支持体に対して前記気密袋体の外側部分を係止自在な係止部を、前記気密袋体の外周面に設けてあるところにある。
【００１４】
請求項５の発明の特徴構成によれば、請求項１〜４の何れかの発明による作用効果を叶えることができるのに加えて、前記係止部を吊り支持体に係止することで、気密袋体を所定の形状に保つことができ、気密袋体の内空部に天井メンテナンスの作業空間を確保し易くなる。
また、気密袋体がバタバタしたり浮き上がったりするのを防止し易くなる。
【００１５】
【発明の実施の形態】
以下に本発明の実施の形態を図面に基づいて説明する。
【００１６】
図１、図３は、本発明の天井メンテナンス補助具の一実施形態品（以後、単に補助具と言う）Ｈを取り付けて使用するクリーンルームＲの天井Ｔを示している。
【００１７】
前記天井Ｔは、格子状に金属製フレーム材１を配置して構成した天井フレーム（天井支持フレームに相当）Ｆを、図には示さないが、クリーンルーム構造躯体から吊りボルト（吊り支持体に相当）２で吊り下げ支持し、その天井フレームＦに、天井パネルＰや、ファンフィルタユニット３Ａや、照明器具３Ｂ等の設備機器３を取り付けて構成してある。
【００１８】
前記フレーム材１は、例えば、各種形鋼材を使用することができるが、本実施形態においては、図４に示すように、箱形断面の形鋼材を使用している。フレーム材１の下辺部には、左右にそれぞれ突出した受部１ａが全長にわたって設けてあり、この受部１ａ上に、前記天井パネルＰや、前記設備機器３の縁部が載置される。
また、フレーム材１の両側辺部には、それぞれ、アリ溝部１ｂが形成してあり、このアリ溝部１ｂに、図に示すような係止部材４を係合させることで、係止部材４の押さえ突起４ａと前記受部１ａとで、前記天井パネルＰや前記設備機器３の縁部を挟持状態に固定できるように構成してある。
一方、フレーム材１の上辺部には、前記吊りボルト２の下端部に螺合させた吊りナット５を長手方向にスライド自在に嵌合する嵌合アリ溝部１ｃを形成してある。従って、この嵌合アリ溝部１ｃに前記吊りナット５を嵌合させた状態で、フレーム材１の長手方向に沿って、前記吊りナット５、及び、吊りボルト２を移動することができ、任意の位置で吊り支持することができるように構成されている。
また、嵌合アリ溝部１ｃを設けてある箇所の外側面部１ｄには、前記補助具Ｈに設けられたクリップＫを挟持状態に取り付けることができる。
【００１９】
前記天井パネルＰは、本実施形態においては、図１に示すように、三辺を前記フレーム材１に載置するように形成されたものと、四辺を前記フレーム材１に載置するように形成されたものとがあるが、これらは、幅寸法が異なるだけで、他の構成はほぼ同様である。そして、前者の天井パネル（便宜上、以後、第一天井パネルという）Ｐａは、前記フレーム材１で構成された一区画内に、照明器具３Ｂと並べて設置され、後者の天井パネル（便宜上、以後、第二天井パネルという）Ｐｂは、前記フレーム材１で構成された一区画内に、それのみが設置されるものである。
【００２０】
前記第一天井パネルＰａは、図５に示すように、金属板を折り曲げ加工して形成したパネル本体６で構成してある。
このパネル本体６は、具体的には、図５（イ）の展開図に示すように板材を裁断し、破線部分で折り曲げ加工することによって形成してある。図中の実線は裁断線を示し、破線は山折りを示し、一点鎖線は谷折りを示す。
そして、各線に準じて折り曲げ加工した後、図中の丸印箇所同士を合わせてスポット溶接によって接合してある。
図に見られるように、パネル本体６は、その下面は、平坦面７で構成され、上面に関しては、一つの縁部の全長にわたって、上方に凸形状の踏み面部８が形成してある。また、踏み面部８を形成してある縁部以外の縁部は、切り起こしによって補強してある。
また、前記踏み面部８を設けてある縁部には、前記照明器具３Ｂの縁部を載置自在な被載置部９が形成してある。
従って、図７に示すように、フレーム材１で構成された一区画内に、当該第一天井パネルＰａを設置すると共に、第一天井パネルＰａの踏み面部８に隣接する状態に照明器具３Ｂを設置し、該当箇所を、前記係止部材４で固定することによって、照明器具３Ｂと第一天井パネルＰａとが並んだ状態の天井が形成される。そして、前記照明器具３Ｂは、三辺がフレーム材１に支持され、残りの一辺は、前記被載置部９に支持されるから、安定した状態に設置することができる。
以上のように天井が形成されているから、前記照明器具３Ｂの点検や交換等の作業の際には、前記第一天井パネルＰａの踏み面部８の上に人が乗って作業を進めることが可能となる。また、他の同様の各天井パネルＰの踏み面部８を連続するように各天井パネルを配置すれば、それらが連続した通路となり、天井裏での各種作業を、非常に簡単に且つ効率よく進めることが可能となる。
【００２１】
前記第二天井パネルＰｂも、第一天井パネルＰａと同様に金属板を折り曲げ加工して形成したパネル本体６で構成してある（図６参照）。
このパネル本体６は、具体的には、図６（イ）の展開図に示すように板材を裁断し、破線部分で折り曲げ加工することによって形成してある。図中の実線は裁断線を示し、破線は山折りを示し、一点鎖線は谷折りを示す。
そして、各線に準じて折り曲げ加工した後、図中の丸印箇所同士を合わせてスポット溶接によって接合してあり、第一天井パネルＰａと同様に、その下面は平坦面７で構成され、上面に関しては一つの縁部の全長にわたって、上方に凸形状の踏み面部８が形成してある。
そして、図８に示すように、フレーム材１で構成された一区画内に、当該第二天井パネルＰｂを設置し、該当箇所を、前記係止部材４で固定することによって、第二天井パネルＰｂが室内側に臨む状態の天井が形成される。
【００２２】
次に、前記補助具Ｈについて説明する。
前記補助具Ｈは、図２、図３に示すように、透明シート素材で構成された気密袋体１０で構成してある。従って、袋全体が透明部Ｓとして形成されている。
前記気密袋体１０は、立方体ボックス形状に形成してあり、下面部が開口部１１となる状態で使用される。そして、開口部１１の縁部全周にわたって、金属製の帯板（補強部材に相当）１２が一体的に取り付けてある。
そして、気密袋体１０の寸法設定は、高さ寸法は、内空部で人が天井メンテナンス作業を実施できる事を考慮して設定されている。また、開口部１１の各辺の長さ寸法は、前記天井フレームＦの一区画の大きさに合わせて設定してある。従って、前記第一天井パネルＰａと照明器具３Ｂとが設置されている一区画上に当該気密袋体１０をセットすることが可能である。
また、気密袋体１０の外周面の複数の適宜箇所には、前記吊りボルト２に挟持状態に着脱自在なクリップ（係止部に相当）１３をそれぞれ設けてある。このクリップ１３によれば、天井フレームＦ上に気密袋体１０をセットした状態で、気密袋体１０を吊りボルト２に係止させることで、内空部に作業空間を確保できるように気密袋体１０の形状を保つことができる。
【００２３】
一方、前記帯板１２の一方側の面部にも長手方向に間隔をあけて複数のクリップＫがそれぞれ一体に設けてある。このクリップＫは、前記フレーム材１の外側面部１ｄに挟持状態に取り付けることができるもので、気密袋体１０を天井フレームＦに取り付けるのに使用される。このクリップＫの個数は、クリーンルームの室内空間と天井裏空間との差圧を基に、気密袋体１０が吹き上がらない範囲で求めることができる。このクリップＫを固定手段という。
このクリップＫによって気密袋体１０を天井フレームＦに取り付けた状態においては、図４（ロ）に示すように、前記帯板１２がフレーム材１に沿って両者間の密閉を図ると共に、開口部１１が天井フレームＦの一区画に合致し、その取付状態のまま、気密袋体内空部で前記照明器具３Ｂや前記第一天井パネルＰａを持ち上げてメンテナンスすることが可能となる（図７参照）。
【００２４】
また、前記気密袋体１０の側面には、開閉自在な出入り口１４を設けてあり（図２、図３参照）、前記クリップＫや、クリップ１３によって気密袋体１０を天井裏空間にセットした状態で、袋体内部への出入りを可能とするものである。
この出入り口１４は、気密袋体１０の側部に「コ」字形状の切れ目をいれ、その切れ目に沿って気密ファスナー１４ａを設けて構成してあり、前記気密ファスナー１４ａを開状態にすることで出入り口１４が確保され、閉状態にすることで内空部の気密状態は維持される。
【００２５】
次に、当該補助具を使用した天井メンテナンス作業について簡単に説明する。
［１］  メンテナンス対象の天井裏区画に位置するフレーム材１に、前記クリップＫ、クリップ１３を用いて気密袋体１０を取り付ける。
［２］  出入り口１４から、気密袋体１０内に作業を行う人が入り、気密ファスナー１４ａを閉状態にする。
［３］  気密袋体１０内で、所定のメンテナンス作業を行う。この際、設備機器３や天井パネルＰを持ち上げて天井面が開口しても、気密袋体１０内空部と下方の室内空間とが連通するだけで、天井裏空間と室内空間との差圧は維持することができる。
［４］  メンテナンスの終了に伴い、設備機器３や天井パネルＰを元通りの状態に設置した後、前記クリップＫ，１３の挟持状態を解除して気密袋体１０を取り外す。
【００２６】
以上のように、当該補助具Ｈを使用することによって、クリーンルームの差圧を維持した状態のまま、簡単に天井裏でのメンテナンス作業を実施することが可能となる。
【００２７】
〔別実施形態〕
以下に他の実施の形態を説明する。
【００２８】
〈１〉  前記気密袋体は、先の実施形態で説明したように、透明部を設けるものに限らず、全体を不透明材料で形成するものであってもよい。但し、この場合は、気密袋体の内部で、作業照明を行うのが好ましい。また、透明部を設ける構成の場合、透明の度合いは、純粋な透明に限らず、半透明であってもよい。更には、全体を透明部として構成するものの他、一部を透明部として構成するものであってもよい。
〈２〉  また、気密袋体の開口部は、先の実施形態で説明したように前記天井支持フレームＦの最小開口単位のみを覆う寸法に設定してあるものに限らず、天井指示フレームの複数の区画を覆う寸法設定にしてあってもよい。
〈３〉  また、気密袋体に、必ず出入り口１４を備えることに限らず、例えば、気密袋体１０をセットする時に、内空部にメンテナンス作業を行う人が入り込むことも可能で、この場合には、出入り口１４を設けなくてもよい。
〈４〉  前記固定手段Ｋは、先の実施形態で説明したクリップに限るものではなく、たの固定手段を採用することも可能である。従って、固定手法も、挟持固定に限らず、係止固定であってもよい。また、このことは、前記係止部１３についても同様で、クリップに限ったものではない。
【００２９】
尚、上述のように、図面との対照を便利にするために符号を記したが、該記入により本発明は添付図面の構成に限定されるものではない。
【図面の簡単な説明】
【図１】天井裏を示す一部切欠き斜視図
【図２】気密袋体を示す斜視図
【図３】気密袋体の設置状況を示す一部切欠き斜視図
【図４】天井支持フレームを示す要部断面図
【図５】天井パネルを示す説明図
【図６】天井パネルを示す説明図
【図７】気密袋体の設置状況を示す説明断面図
【図８】気密袋体の設置状況を示す説明断面図
【符号の説明】
２      吊り支持体
１０    気密袋体
１１    開口部
１２    補強部材
１３    係止部
１４    出入り口
Ｆ      天井支持フレーム
Ｋ      固定手段
Ｒ      クリーンルーム
Ｓ      透明部
【図１】
2004278214.tif 000003
【図２】
2004278214.tif 000004
【図３】
2004278214.tif 000005
【図４】
2004278214.tif 000006
【図５】
2004278214.tif 000007
【図６】
2004278214.tif 000008
【図７】
2004278214.tif 000009
【図８】
2004278214.tif 000010